(57)【要約】【課題】  転送操作の不要な無線テレビドアホンシステムを提供する。【解決手段】  無線テレビドアホンシステムは、ドアホン子機１００と、ドアホン親機２００と、ドアホン副親機３００，３１０とを含む。ドアホン子機１００は、来訪者の呼出を検知して呼び出し信号を生成する呼出スイッチ部１０４と、信号の通信を制御する制御部１１０とを含む。ドアホン親機２００は、ドアホン子機１００と通信する多重化分離化回路部２０６と、ドアホン子機１００からの映像信号を表示部２０７および無線送信部２１３に出力し続ける制御部２１２を含む。ドアホン副親機３００，３１０は、ドアホン親機２００と無線通信する無線受信部３１５および無線送信部３１６と、信号の処理を制御する制御部３１８とを含む。【選択図】        図１
2005236384.tif 000002
【特許請求の範囲】
【請求項１】
第１の通信装置と、前記第１の通信装置と通信する第２の通信装置と、前記第２の通信装置と無線通信する少なくとも１つ以上の第３の通信装置とを備え、
前記第１の通信装置は、
前記第１の通信装置における呼出を検出するための呼出検出手段と、
被写体を撮影して映像信号を生成するための撮影手段と、
前記呼出の検出に基づいて、前記呼出を報知する報知信号を生成するための生成手段と、
前記報知信号および前記映像信号を前記第２の通信装置に送信するための送信手段とを含み、
前記第２の通信装置は、
前記第１の通信装置と通信するための通信手段と、
前記通信手段により受信される信号から、前記映像信号を取得するための手段と、
前記通信手段により受信される信号から、前記報知信号を取得するための手段と、
前記取得された報知信号に基づいて、前記呼出を報知するための報知手段と、
前記取得された映像信号に基づいて、映像を表示するための表示手段と、
無線通信回線を介して、前記第３の通信装置と無線通信するための無線通信手段とを含み、
前記第３の通信装置は、
前記無線通信回線を介して、前記第２の通信装置と無線通信するための無線通信手段と、
前記無線通信手段により受信される信号から、前記映像信号を取得するための手段と、
前記無線通信手段により受信される信号から、前記報知信号を取得するための手段と、
前記取得された報知信号に基づいて、前記呼出を報知するための報知手段と、
前記取得された映像信号に基づいて、映像を表示するための表示手段とを含み、
前記第２の通信装置はさらに、
前記呼出に対する応答を検知するための検知手段と、
前記応答の検知に基づいて、前記表示手段に対する前記映像信号の出力を継続するための報知制御手段と、
前記応答の検知に基づいて、前記無線通信手段に対する前記映像信号の出力を継続するための通信制御手段とを含む、無線テレビドアホンシステム。
【請求項２】
前記報知制御手段は、前記応答が検出された後に、前記表示手段に対する前記映像信号の出力を継続し、
前記通信制御手段は、前記応答が検出された後に、前記無線通信手段に対する前記映像信号の出力を継続する、請求項１に記載の無線テレビドアホンシステム。
【請求項３】
前記第２の通信装置は、
利用者が前記呼出に対する応答の操作を行なうための入力手段と、
前記操作に基づいて、前記呼出に対する応答信号を生成するための手段とをさらに含み、
前記検知手段は、前記応答信号に基づいて、前記第２の通信装置において前記呼出に対する応答が行なわれたことを検知する、請求項１または２に記載の無線テレビドアホンシステム。
【請求項４】
前記第３の通信装置は、
利用者が前記呼出に対する応答の操作を行なうための入力手段と、
前記操作に基づいて、前記呼出に対する応答信号を生成するための手段とをさらに含み、
前記第３の通信装置の前記無線通信手段は、前記第２の通信装置に前記応答信号を送信し、
前記第２の通信装置の前記検知手段は、前記無線通信手段により受信された応答信号に基づいて、前記第３の通信装置において前記呼出に対する応答が行なわれたことを検知する、請求項１または２に記載の無線テレビドアホンシステム。
【請求項５】
前記第２の通信装置の前記検知手段は、前記第２の通信装置における応答および前記第３の通信装置における応答をそれぞれ検知し、
前記第３の通信装置は、音声の入力を受け付けて音声信号を生成するための手段をさらに含み、
前記第２の通信装置はさらに、前記第２の通信装置における応答が検知された後に、前記第３の通信装置における応答が検知された場合に、前記通信手段と前記無線通信手段との間の通信経路を確立するための制御手段をさらに含む、請求項１〜４のいずれかに記載の無線テレビドアホンシステム。
【請求項６】
前記制御手段は、前記通信手段からの信号を前記無線通信手段に出力し、そして、前記無線通信手段からの信号を前記通信手段に出力する、請求項５に記載の無線テレビドアホンシステム。
【請求項７】
前記第２の通信装置は、前記第２の通信装置における応答が検知された後に前記第３の通信装置における応答が検知された場合に、前記表示手段に対する映像信号の出力を停止するための停止手段をさらに含む、請求項５または６に記載の無線テレビドアホンシステム。
【請求項８】
前記第２の通信装置の前記検知手段は、前記第２の通信装置における応答および前記第３の通信装置における応答をそれぞれ検知し、
前記第２の通信装置はさらに、前記第３の通信装置における応答が検知された後に、前記第２の通信装置における応答が検知された場合に、前記通信手段と前記音声入力手段との間の通信経路を確立するための制御手段を含む、請求項１〜４のいずれかに記載の無線テレビドアホンシステム。
【請求項９】
前記第２の通信装置は、
音声の入力を受け付けて音声信号を生成するための音声入力手段と、
音声信号に基づいて音声を出力するための音声出力手段とをさらに含み、
前記制御手段は、前記通信手段からの音声信号を前記音声出力手段に出力し、前記音声入力手段からの音声信号を前記通信手段に出力する、請求項８に記載の無線テレビドアホンシステム。
【請求項１０】
前記第２の通信装置は、前記第３の通信装置における応答が検知された後に前記第２の通信装置における応答が検知された場合に、前記無線通信手段に対する映像信号の出力を停止するための停止手段をさらに含む、請求項８または９に記載の無線テレビドアホンシステム。
【請求項１１】
前記第２の通信装置は、利用者が前記呼出に対する応答の操作を行なうための入力手段をさらに含み、
前記検知手段は、前記操作に基づいて前記第２の通信装置における応答を検知し、
前記第２の通信装置は、
前記応答が検知されてから経過した応答時間を計測するための計測手段と、
前記応答時間が予め定められた時間を経過した場合に、前記無線通信手段に対する映像信号の出力を停止するための停止手段とをさらに含む、請求項１または２に記載の無線テレビドアホンシステム。
【請求項１２】
前記検知手段は、前記無線通信手段により受信される信号に基づいて、前記第３の通信装置における応答を検知し、
前記第２の通信装置は、
前記応答が検知されてから経過した応答時間を計測するための計測手段と、
前記応答時間が予め定められた時間を経過した場合に、前記表示手段に対する映像信号の出力を停止するための停止手段とをさらに含む、請求項１または２に記載の無線テレビドアホンシステム。
【請求項１３】
前記検知手段は、前記第２の通信装置および前記第３の通信装置のいずれかにおける応答を検知し、
前記第２の通信装置は、
利用者が、前記応答が検知された場合に、前記応答が検知されていない通信装置に対する前記映像信号の出力を停止させるための制御情報を入力するための入力手段と、
前記制御情報を記憶するための記憶手段と、
前記制御情報に基づいて、前記映像信号の出力を制御するための出力制御手段とをさらに含む、請求項１または２に記載の無線テレビドアホンシステム。
【請求項１４】
前記出力制御手段は、
前記第２の通信装置における応答が検知された場合に、前記無線通信手段に対する前記映像信号の出力を停止するための手段と、
前記第３の通信装置における応答が検知された場合に、前記表示手段に対する前記映像信号の出力を停止するための手段とを含む、請求項１３に記載の無線テレビドアホンシステム。
【請求項１５】
前記第１の通信装置は、屋外に配置されるドアホン子機であり、
前記第２の通信装置は、屋内に配置されるドアホン親機であり、
前記第３の通信装置は、前記ドアホン親機と無線通信可能なドアホン副親機である、請求項１〜１４のいずれかに記載の無線テレビドアホンシステム。
【発明の詳細な説明】
【技術分野】
【０００１】
本発明は無線テレビドアホンシステムに関し、特に、ドアホン子機と、ドアホン親機と、複数のドアホン副親機とを含むシステムに関する。
【背景技術】
【０００２】
従来、一戸建てあるいはマンション等において、屋外に設置して来訪者を撮影するためのカメラを備えたドアホン子機と、住宅内に設置してドアホン子機で撮影した映像を表示するための表示部を備えたドアホン親機とを有するテレビドアホンシステムが普及している。
【０００３】
このテレビドアホンシステムでは、来訪者がドアホン子機の呼出ボタンを押すと、ドアホン親機で来訪者の到来を知らせる報知音が鳴動すると共に、ドアホン子機のカメラで撮影された映像が、ドアホン親機の表示部に表示される。そのため、住人はわざわざ玄関まで行かなくても、ドアホン親機によって、来訪者を確認し、応対することができる。このドアホン親機は、一般に、住人が集まる場所、例えば、居間、台所等に設置される。また、住人は、ドアホン副親機を複数台増設することにより、その他の場所でドアホン子機からの呼出に応答することができる。
【０００４】
従来のテレビドアホンシステムでは、一般的に、ドアホン子機とドアホン親機との間、あるいはドアホン親機とドアホン副親機との間は、有線接続されていた。たとえば住宅を新築する場合には、配線を隠すための工事が可能であるため、ドアホン副親機を屋内に設置しても、配線が美観を損ねることはない。
【０００５】
しかし、既築住宅においては、ドアホン副親機を増設するためには、配線工事が新たに必要となる。そのため、配線を隠すことができない場合には、美観を損ねたり、設置場所が配線可能な場所に限定されたりするという問題があった。そこで、ドアホン親機とドアホン副親機との間を無線通信可能な構成にすることで、有線配線がないテレビドアホンシステムが提案されている。
【０００６】
例えば、特開２０００−２２４３１６号公報（特許文献１）は、ドアホン親機は、ドアホン子機から伝送された音声信号と映像信号を無線でドアホン副親機に送信し、ドアホン副親機から無線送信される音声信号を受信すると共に、ドアホン副親機は、音声信号と映像信号を無線受信し、音声信号を無線送信するシステムを開示する。
【０００７】
特許文献１に開示された無線テレビドアホンシステムによると、ドアホン副親機を設置するための配線工事が不要であり、また、ドアホン副親機は携帯可能である。したがって、ドアホン副親機は、さまざまな場所で使用することができる。
【０００８】
このようなドアホン親機とドアホン副親機との間の無線方式として、例えば音声信号のみを無線送信するシステムの場合、コードレス電話などで実績のある小電力無線方式が多く採用されている。しかし、映像信号を無線送信する場合、そのままでは音声信号に比較して送信する情報量が増加するため、映像信号の圧縮が必要になり、また盗聴防止の観点からディジタル化して無線送信することが望まれる。
【０００９】
例えば、特開２０００−２２４３１７号公報（特許文献２）において、ドアホン親機からドアホン副親機に音声信号、映像信号を無線送信する場合、無線ＬＡＮ方式（ＩＥＥＥ８０２．１１等）やブルートゥース（Ｂｌｕｅｔｏｏｔｈ）規格方式で採用されているスペクトラム拡散方式を使用する提案が行われている。これにより、ノイズや妨害に強く、他人からも傍受されにくい無線テレビドアホンシステムが実現可能となる。
【特許文献１】特開２０００−２２４３１６号公報
【特許文献２】特開２０００−２２４３１７号公報
【発明の開示】
【発明が解決しようとする課題】
【００１０】
しかしながら、一般に、テレビドアホンシステムでは、来訪者がドアホン子機を介して訪問を通知した場合、ドアホン親機あるいはドアホン副親機での応答は早い者勝ち、つまり、最初に応答した住人が通話の権利を有することとなる。この場合、来訪者の真の訪問対象の住人が応答する前に、別の住人が応答してしまうことがある。このような状況は、複数台のドアホン副親機の増設が容易な無線テレビドアホンシステムでは、頻繁に発生し易くなる。
【００１１】
この場合、来訪者の真の訪問対象の住人は、ドアホン子機からの呼出に応答した住人がドアホン通話を転送するまで、来訪者に応対することができない。そのため、来訪者を待たせることになる。また、子供や老人のように、機械操作に不慣れな人が応答すると、通話の転送操作が速やかにできない時には、来訪者に迷惑をかける場合がある。
【００１２】
また、ドアホン親機と無線通信するドアホン副親機は携帯可能である。そのため、真の訪問対象の住人がドアホン副親機を携帯して庭等にいる場合には、その住人は来訪者と通話可能であるにもかかわらず、ドアホンの呼出に応答した別の住人が真の訪問対象の住人は不在と勘違いして、転送操作を行わないこともある。
【００１３】
本発明は、上述の問題点を解決するためになされたものであって、その目的は、ドアホン親機に複数のドアホン副親機が無線接続されている場合に、ドアホン子機からの呼出に応答した人が転送操作を行なうことなく、来訪者の真の訪問対象の住人が来訪者を確認して通話を行うことができる無線テレビドアホンシステムを提供することである。
【課題を解決するための手段】
【００１４】
上記の課題を解決するために、この発明のある局面に従うと、無線テレビドアホンシステムは、第１の通信装置と、第１の通信装置と通信する第２の通信装置と、第２の通信装置と無線通信する少なくとも１つ以上の第３の通信装置とを備える。第１の通信装置は、第１の通信装置における呼出を検出するための呼出検出手段と、被写体を撮影して映像信号を生成するための撮影手段と、呼出の検出に基づいて、呼出を報知する報知信号を生成するための生成手段と、報知信号および映像信号を第２の通信装置に送信するための送信手段とを含む。第２の通信装置は、第１の通信装置と通信するための通信手段と、通信手段により受信される信号から、映像信号を取得するための手段と、通信手段により受信される信号から、報知信号を取得するための手段と、取得された報知信号に基づいて、呼出を報知するための報知手段と、取得された映像信号に基づいて、映像を表示するための表示手段と、無線通信回線を介して、第３の通信装置と無線通信するための無線通信手段とを含む。第３の通信装置は、無線通信回線を介して、第２の通信装置と無線通信するための無線通信手段と、無線通信手段により受信される信号から、映像信号を取得するための手段と、無線通信手段により受信される信号から、報知信号を取得するための手段と、取得された報知信号に基づいて、呼出を報知するための報知手段と、取得された映像信号に基づいて、映像を表示するための表示手段とを含む。第２の通信装置はさらに、呼出に対する応答を検知するための検知手段と、応答の検知に基づいて、表示手段に対する映像信号の出力を継続するための報知制御手段と、応答の検知に基づいて、無線通信手段に対する映像信号の出力を継続するための通信制御手段とを含む。
【００１５】
上記の構成を有する無線テレビドアホンシステムによると、第１の通信装置において、呼出が検出されると、報知信号が第２の通信装置に送信される。第２の通信装置は、その信号を第３の通信装置に送信する。第２の通信装置の検知手段が、その呼出に対する応答を検知すると、報知制御手段は、表示手段に映像信号の出力を継続し、通信制御手段は、無線通信手段にその映像信号の出力を継続する。このようにすると、第２の通信装置あるいは第３の通信装置のいずれかにおいて呼出に対する応答が行なわれても、第１の通信装置からの映像信号に基づく映像は、第２の通信装置及び第３の通信装置に表示されつづける。その結果、利用者は、呼出に応答していない通信装置においても映像を見ることができるため、来訪者を容易に確認することができる。
【００１６】
好ましくは、報知制御手段は、応答が検出された後に、表示手段に対する映像信号の出力を継続する。通信制御手段は、応答が検出された後に、無線通信手段に対する映像信号の出力を継続する。
【００１７】
上記の構成を有する無線テレビドアホンシステムによると、第２の通信装置あるいは第３の通信装置における応答が検出された後であっても、利用者は、呼出に応答していない通信装置において来訪者を確認することができる。
【００１８】
好ましくは、第２の通信装置は、利用者が呼出に対する応答の操作を行なうための入力手段と、操作に基づいて、呼出に対する応答信号を生成するための手段とをさらに含む。検知手段は、応答信号に基づいて、第２の通信装置において呼出に対する応答が行なわれたことを検知する。
【００１９】
上記の構成を有する無線テレビドアホンシステムによると、利用者が第２の通信装置において応答しても、他の利用者が第３の通信装置において来訪者を容易に確認することができる。
【００２０】
好ましくは、第３の通信装置は、利用者が呼出に対する応答の操作を行なうための入力手段と、操作に基づいて、呼出に対する応答信号を生成するための手段とをさらに含む。第３の通信装置の無線通信手段は、第２の通信装置に応答信号を送信する。第２の通信装置の検知手段は、無線通信手段により受信された応答信号に基づいて、第３の通信装置において呼出に対する応答が行なわれたことを検知する。
【００２１】
上記の構成を有する無線テレビドアホンシステムによると、利用者が第３の通信装置において応答しても、他の利用者が第２の通信装置において来訪者を容易に確認することができる。
【００２２】
好ましくは、第２の通信装置の検知手段は、第２の通信装置における応答および第３の通信装置における応答をそれぞれ検知する。第３の通信装置は、音声の入力を受け付けて音声信号を生成するための手段をさらに含む。第２の通信装置はさらに、第２の通信装置における応答が検知された後に、第３の通信装置における応答が検知された場合に、通信手段と無線通信手段との間の通信経路を確立するための制御手段をさらに含む。
【００２３】
上記の構成を有する無線テレビドアホンシステムによると、利用者が第２の通信装置において呼出に応答した後に、他の利用者が第３の通信装置を利用して来訪者と通話することができる。これにより、他の利用者は、あえて転送操作をすることなく、使用されていない第３の通信装置を使用して、来訪者と通話することができる。
【００２４】
好ましくは、制御手段は、通信手段からの信号を無線通信手段に出力し、そして、無線通信手段からの信号を通信手段に出力する。
【００２５】
上記の構成を有する無線テレビドアホンシステムによると、利用者は、第３の通信装置を使用して、第１の通信装置に対する来訪者と通話することができる。
【００２６】
好ましくは、第２の通信装置は、第２の通信装置における応答が検知された後に第３の通信装置における応答が検知された場合に、表示手段に対する映像信号の出力を停止するための停止手段をさらに含む。
【００２７】
上記の構成を有する無線テレビドアホンシステムによると、第１の通信装置と第３の通信装置とが通信する間、第２の通信装置は映像を表示しなくなるため、他の利用者によって通話が妨げられることを防止することができる。また、第２の通信装置における電源の消費を抑制することができる。
【００２８】
好ましくは、第２の通信装置の検知手段は、第２の通信装置における応答および第３の通信装置における応答をそれぞれ検知する。第２の通信装置はさらに、第３の通信装置における応答が検知された後に、第２の通信装置における応答が検知された場合に、通信手段と音声入力手段との間の通信経路を確立するための制御手段を含む。
【００２９】
上記の構成を有する無線テレビドアホンシステムによると、利用者が第３の通信装置において呼出に応答した後に、他の利用者が第２の通信装置を利用して来訪者と通話することができる。これにより、他の利用者は、あえて転送操作をすることなく、通話中でない第２の通信装置を使用して、来訪者と通話することができる。
【００３０】
好ましくは、第２の通信装置は、音声の入力を受け付けて音声信号を生成するための音声入力手段と、音声信号に基づいて音声を出力するための音声出力手段とをさらに含む。制御手段は、通信手段からの音声信号を音声出力手段に出力し、音声入力手段からの音声信号を通信手段に出力する。
【００３１】
上記の構成を有する無線テレビドアホンシステムによると、利用者は、第２の通信装置を使用して、第１の通信装置に対する来訪者と通話することができる。
【００３２】
好ましくは、第２の通信装置は、第３の通信装置における応答が検知された後に第２の通信装置における応答が検知された場合に、無線通信手段に対する映像信号の出力を停止するための停止手段をさらに含む。
【００３３】
上記の構成を有する無線テレビドアホンシステムによると、第１の通信装置と第２の通信装置とが通信する間、第３の通信装置は映像を表示しなくなるため、他の利用者によって通話が妨げられることを防止することができる。また、第３の通信装置における電源の消費を抑制することができる。
【００３４】
好ましくは、第２の通信装置は、利用者が呼出に対する応答の操作を行なうための入力手段をさらに含む。検知手段は、操作に基づいて第２の通信装置における応答を検知する。第２の通信装置は、応答が検知されてから経過した応答時間を計測するための計測手段と、応答時間が予め定められた時間を経過した場合に、無線通信手段に対する映像信号の出力を停止するための停止手段とをさらに含む。
【００３５】
上記の構成を有する無線テレビドアホンシステムによると、利用者が第２の通信装置を使用して第１の通信装置と通信した場合には、予め定められた時間が経過すると、第３の通信装置は映像を表示しなくなる。このようにすると、不要な電力の消費を抑制することができる。
【００３６】
好ましくは、検知手段は、無線通信手段により受信される信号に基づいて、第３の通信装置における応答を検知する。第２の通信装置は、応答が検知されてから経過した応答時間を計測するための計測手段と、応答時間が予め定められた時間を経過した場合に、表示手段に対する映像信号の出力を停止するための停止手段とをさらに含む。
【００３７】
上記の構成を有する無線テレビドアホンシステムによると、利用者が第３の通信装置を使用して第１の通信装置と通信した場合には、予め定められた時間が経過すると、第２の通信装置は映像を表示しなくなる。このようにすると、不要な電力の消費を抑制することができる。
【００３８】
好ましくは、検知手段は、第２の通信装置および第３の通信装置のいずれかにおける応答を検知する。第２の通信装置は、利用者が、応答が検知された場合に、応答が検知されていない通信装置に対する映像信号の出力を停止させるための制御情報を入力するための入力手段と、制御情報を記憶するための記憶手段と、制御情報に基づいて、映像信号の出力を制御するための出力制御手段とをさらに含む。
【００３９】
上記の構成を有する無線テレビドアホンシステムによると、利用者は、通信装置ごとに、映像の表示を有効にするか否かの設定を行なうことができる。このようにすると、たとえば小さい子供が使用するような通信装置（たとえばドアホン副親機）には、割り込み通話機能を禁止することにより、誤操作を防止することができる。
【００４０】
好ましくは、出力制御手段は、第２の通信装置における応答が検知された場合に、無線通信手段に対する映像信号の出力を停止するための手段と、第３の通信装置における応答が検知された場合に、表示手段に対する映像信号の出力を停止するための手段とを含む。
【００４１】
上記の構成を有する無線テレビドアホンシステムによると、第２の通信装置において通話中の間、第３の通信装置への映像の出力が停止される。一方、第３の通信装置において通話中の間、第２の通信装置への映像の出力が停止される。これにより、使用者の都合に応じて、柔軟な通信システムを構築することができる。
【００４２】
好ましくは、第１の通信装置は、屋外に配置されるドアホン子機である。第２の通信装置は、屋内に配置されるドアホン親機である。第３の通信装置は、ドアホン親機と無線通信可能なドアホン副親機である。
【００４３】
上記の構成を有する無線テレビドアホンシステムによると、ドアホン子機と通信していないドアホン親機あるいはドアホン副親機における電源の消費を抑制することができる。またドアホン子機を使用する来訪者が通話を希望する住人と異なる住人が呼出に応答した場合であっても、その他のドアホン副親機あるいはドアホン親機において来訪者の映像が表示されるため、容易に通話を切り替えることができる。
【発明の効果】
【００４４】
本発明に係る無線テレビドアホンシステムによると、来訪者が通話を求める利用者と異なる利用者が最初に応答した場合であっても、回線を切り替えることなく、来訪者の真の訪問対象の住人が来訪者を確認して通話を行うことができる。
【００４５】
また、本発明に係る無線テレビドアホンシステムによると、通話が禁止された通信装置は映像の表示をしなくなるため、電池の消費を抑制することができる。
【００４６】
また、本発明に係る無線テレビドアホンシステムによると、割り込み通話の機能を任意に設定することができるため、利用者の属性に応じた使用態様を提供することができる。
【発明を実施するための最良の形態】
【００４７】
以下、図面を参照しつつ、本発明の実施の形態について説明する。以下の説明では、同一の部品には同一の符号を付してある。それらの名称および機能も同じである。したがって、それらについての詳細な説明は繰り返さない。また、以下の処理の説明では、同一の処理には同一のステップ番号を付し、それらについての説明は繰り返さない。
【００４８】
＜第１の実施の形態＞
図１を参照して、本発明の第１の実施の形態に係る無線テレビドアホンシステムについて説明する。図１は、本実施の形態に係る無線テレビドアホンシステムの構成を表わすブロック図である。
【００４９】
図１に示すように、無線テレビドアホンシステムは、ドアホン子機１００と、ドアホン親機２００と、ドアホン副親機３００，３１０とを含む。ドアホン子機１００は、ドアホン親機２００とケーブル１９０を介して接続される。ドアホン親機２００は、無線回線を介してドアホン副親機３００，３１０に接続される。ドアホン副親機３００，３１０は、それぞれ任意の場所に設置可能であり、異なる場所に配置される。
【００５０】
なお、図１においては、２つのドアホン副親機が示されているが、ドアホン副親機の数はこれに限られず３つ以上のドアホン副親機を含んでもよい。また、ドアホン親機２００と、ドアホン副親機３００，３１０との間の無線通信の態様は、特に限られない。
【００５１】
ドアホン子機１００は、カメラ部１０１と、スピーカ部１０２と、マイク部１０３と、呼出スイッチ部１０４と、制御部１１０とを含む。制御部１１０は、多重化分離化回路部１０５と、後述する各処理を実行するための処理部とを含む。カメラ部１０１は、たとえば固体撮像素子を含む。カメラ部１０１は、来訪者を撮影し、映像信号を出力する。この映像信号は、多重化分離化回路部１０５に入力される。
【００５２】
スピーカ部１０２は、ドアホン子機１００がケーブル１９０を介して受信した音声信号を再生して出力する。この音声信号は、多重化分離化回路部１０５からスピーカ部１０２に入力される。マイク部１０３は、来訪者の音声を電気信号に変換する。この信号は、多重化分離化回路部１０５に入力される。呼出スイッチ部１０４は、ドアホン子機１００に配置される呼出ボタン（図示しない）の押下に応答して、呼出信号を発生する。この信号は、多重化分離化回路部１０５に入力される。
【００５３】
図１を再び参照して、ドアホン親機２００は、多重化分離化回路部２０６と、表示部２０７と、スピーカ部２０８と、マイク部２０９と、映像信号圧縮部２１０と、呼出応答スイッチ部２１１と、制御部２１２と、無線送信部２１３と、無線受信部２１４とを含む。
【００５４】
多重化分離化回路部２０６は、ドアホン子機１００から受信した多重化信号を分離して、映像信号と音声信号と呼出信号とを出力する。映像信号は、表示部２０７に入力される。音声信号は、スピーカ部２０８および制御部２１２に入力される。呼出信号は、制御部２１２に入力される。また、多重化分離化回路部２０６は、マイク部２０９から入力される音声信号あるいは制御部２１２から入力される制御信号等を多重化して、ドアホン子機１００に送信する。
【００５５】
表示部２０７は、入力される映像信号に基づいて映像を表示する。スピーカ部２０８は、多重化分離化回路部２０６から出力される音声信号あるいはそれぞれのドアホン副親機から受信する音声信号を再生して出力する。また、多重化分離化回路部２０６から出力される信号は、制御部２１２に入力され、無線送信部２１３を介してそれぞれのドアホン副親機に無線送信される。マイク部２０９は、応答者により発話された音声を電気信号に変換して出力する。この出力された音声信号は、多重化分離化回路部２０６に入力されケーブル１９０を介してドアホン子機１００に送信される。また、ドアホン親機２００がドアホン副親機と通話する場合には、発話された音声は、マイク部２０９により音声信号に変換されて制御部２１２に入力される。この音声信号は、無線送信部２１３を介してそれぞれのドアホン副親機に無線送信される。
【００５６】
映像信号圧縮部２１０は、多重化分離化回路部２０６によって分離されたドアホン子機１００からの映像信号を圧縮する。圧縮された信号は、制御部２１２に入力される。呼出応答スイッチ部２１１は、ドアホン子機１００またはドアホン副親機３００，３１０からの呼出に対して応答する。呼出応答スイッチ部２１１は、あるいは利用者の操作に基づいて、呼出信号を生成して制御部２１２に出力する。
【００５７】
制御部２１２は、それぞれ入力される信号に基づいて予め定められた処理を実行する。制御部２１２は、ドアホン子機１００から受信した信号に基づいて、ドアホン副親機３００，３１０への送信信号を生成して無線送信部２１３に出力する。制御部２１２は、無線受信部２１４を介して受信した各ドアホン副親機からの信号に基づいて、呼出信号を生成したり、あるいはドアホン子機１００に送信するための信号を生成する。この制御部２１２による処理の手順は、後述する。
【００５８】
無線送信部２１３は、制御部２１２から出力される信号を変換して無線送信する。無線受信部２１４は、受信した信号を制御部２１２に出力する。なお、この無線通信の態様は、たとえばブルートゥース規格に対応した通信であるが、特にこの態様に限られない。
【００５９】
図１を再び参照して、ドアホン副親機３００は、無線受信部３１５と、無線送信部３１６と、呼出応答スイッチ部３１７と、制御部３１８と、映像信号伸張部３１９と、スピーカ部３２０と、マイク部３２１と、表示部３２２とを含む。無線受信部３１５は、ドアホン親機２００から送信された信号を受信して制御部３１８に出力する。無線送信部３１６は、制御部３１８から出力される信号を変換してドアホン親機２００に無線送信する。制御部３１８は、入力される各信号に基づいて予め定められた処理を実行する。制御部３１８は、入力された信号を変換して特定の構成要素に出力する。この制御部３１８の処理の詳細は、後述する。
【００６０】
呼出応答スイッチ部３１７は、ドアホン子機１００、ドアホン親機２００、他のドアホン副親機からの呼出に対して応答する。呼出応答スイッチ部３１７は、また、利用者の操作（たとえば押下）を検知して、応答信号を生成して制御部３１８に出力する。映像信号伸張部３１９は、制御部３１８から出力された映像信号を伸張し、そしてその伸張された信号を表示部３２２に出力する。表示部３２２は、入力される映像信号に基づいて映像を表示する。
【００６１】
スピーカ部３２０は、制御部３１８から出力される音声信号を再生して出力する。マイク部３２１は、利用者が発した音声を変換して制御部３１８に電気信号を出力する。
【００６２】
ここで、制御信号は、呼出、あるいは応答その他の情報を含む。この制御信号は、映像の表示や音声信号の送信あるいは受信を制御するための信号である。
【００６３】
図１に示すように、無線テレビドアホンシステムは、２つのドアホン副親機３００，３１０を含む。この場合、それぞれのドアホン副親機のハードウェア構成は同一である。したがって、ドアホン副親機３１０についての説明は、ここでは繰返さない。
【００６４】
図２を参照して、本実施の形態に係る無線テレビドアホンシステムのドアホン子機１００の制御構造について説明する。図２は、ドアホン子機１００の制御部１１０が実行する処理の手順を表わすフローチャートである。この処理は、たとえば来訪者がドアホン子機１００に設けられた呼出ボタン（たとえば呼出スイッチ部１０４）を押下した場合に実行される。
【００６５】
ステップＳ２０２にて、ドアホン子機１００の制御部１１０は、呼出を検知する。たとえば、予め定められた呼出信号が呼出スイッチ部１０４から制御部１１０に入力されたとき、この呼出が検知される。
【００６６】
ステップＳ２０４にて、制御部１１０は、ドアホン親機２００に呼出命令を送信する。この呼出命令は、検知した呼出に応答して生成される信号である。
【００６７】
ステップＳ２０６にて、制御部１１０は、ドアホン親機２００から起動命令を受信する。この起動命令は、ドアホン子機１００にカメラ部１０１、スピーカ部１０２、あるいはマイク部１０３を起動させるための制御信号である。この信号の生成については、後述する。
【００６８】
ステップＳ２０８にて、制御部１１０は、ドアホン子機１００自身を起動状態に移行する。ここで起動状態とは、ドアホン子機１００のカメラ部１０１、スピーカ部１０２、マイク部１０３などがそれぞれ起動状態になり、予め定められた処理（たとえば撮影、音声出力、あるいは音声入力）を実行することができる状態をいう。
【００６９】
ステップＳ２１０にて、制御部１１０は、ドアホン親機２００にカメラ部１０１からの映像信号を送信する。この映像信号は、カメラ部１０１の作動に応じて生成される。ステップＳ２１２にて、制御部１１０は、ドアホン親機２００にマイク部１０３からの音声信号を送信する。この音声信号は、来訪者が発話した音声に基づいて、マイク部１０３で生成される。
【００７０】
ステップＳ２１４にて、制御部１１０は、ドアホン親機２００から受信する信号に基づいて、ドアホン親機２００またはドアホン副親機３００，３１０から応答を受信したか否かを判断する。いずれかから応答を受信したと判断すると（ステップＳ２１４にてＹＥＳ）、処理は終了する。そうでない場合には（ステップＳ２１４にてＮＯ）、処理はステップＳ２１０に戻される。
【００７１】
図３を参照して、本実施の形態に係る無線テレビドアホンシステムのドアホン親機２００の制御構造について説明する。図３は、ドアホン親機２００の制御部２１２が実行する処理の手順を表わすフローチャートである。この処理は、ドアホン親機２００がドアホン子機１００から呼出信号を受信した場合に実行される。この処理を実行するためのプログラムは、たとえば制御部２１２に含まれるメモリ（図示しない）に予め格納されており、逐次実行可能状態になっている。
【００７２】
ステップＳ３０２にて、ドアホン親機２００の制御部２１２は、ドアホン子機１００から送信された呼出命令を受信する。この呼出命令は、ドアホン子機１００から受信した信号が多重化分離化回路部２０６により分離された後、制御部２１２に入力される。
【００７３】
ステップＳ３０４にて、制御部２１２は、ドアホン子機１００に起動命令を送信する。この起動命令は、呼出命令の受信に応答して生成される制御信号である。この信号には、前記したドアホン子機１００の各部を作動させるための命令信号が含まれる。
【００７４】
ステップＳ３０６にて、制御部２１２は、無線送信部２１３を介して、各ドアホン副親機３００，３１０に呼出命令を送信する。この呼出命令は、ドアホン子機１００からの呼出命令の受信に応答して生成される制御信号である。この信号には、たとえばドアホン副親機３００，３１０のスピーカ部３２０に呼出音声を出力させるための命令信号が含まれる。
【００７５】
ステップＳ３０８にて、制御部２１２は、ドアホン親機２００自身を呼出状態に移行する。ここで呼出状態とは、ドアホン子機１００から送信された信号に基づいて表示部２０７に映像を表示し、あるいはスピーカ部２０８に音声を出力させる状態をいう。
【００７６】
ステップＳ３１０にて、制御部２１２は、ドアホン子機１００から多重化分離化回路部２０６を介して、映像信号を受信する。ステップＳ３１２にて、制御部２１２は、ドアホン子機１００から多重化分離化回路部２０６を介して、音声信号を受信する。
【００７７】
ステップＳ３１４にて、制御部２１２は、無線送信部２１３を介して、各ドアホン副親機３００，３１０に映像信号を送信する。この映像信号は、映像信号圧縮部２１０において圧縮された信号である。
【００７８】
ステップＳ３１６にて、制御部２１２は、無線送信部２１３を介して、各ドアホン副親機３００，３１０に音声信号を送信する。この音声信号は、たとえば圧縮されない信号であるが、映像信号と同様に圧縮された信号が送信されてもよい。ここで、映像信号あるいは音声信号の送信には、たとえば同一ネットワーク内の全てのハードウェアにパケットを一斉に送信する同報通信が使用されるが、その他の通信方法が使用されてもよい。
【００７９】
ステップＳ３１８にて、制御部２１２は、ドアホン子機１００から多重化分離化回路部２０６を介して受信した映像信号を、表示部２０７に出力する。その結果、表示部２０７は、来訪者の映像を表示する。ステップＳ３２０にて、制御部２１２は、スピーカ部２０８に音声信号を出力する。その結果スピーカ部２０８は、来訪者が発した音声を出力する。
【００８０】
ステップＳ３２２にて、制御部２１２は、ドアホン親機２００自身またはいずれかのドアホン副親機からの応答を検知したか否かを判断する。この判断は、たとえば呼出応答スイッチ部２１１からの信号あるいは無線受信部２１４を介して受信した信号に含まれる応答信号のいずれかの入力の有無を検出することにより行なわれる。応答を検知したと判断すると（ステップＳ３２２にてＹＥＳ）、処理は終了する。そうでない場合には（ステップＳ３２２にてＮＯ）、処理はステップＳ３１０に戻される。
【００８１】
図４を参照して、本実施の形態に係るドアホン副親機３００，３１０の制御構造について、さらに説明する。図４は、ドアホン副親機３００の制御部３１８が実行する処理の手順を表わすフローチャートである。この処理は、たとえばドアホン副親機３００，３１０がドアホン親機２００から呼出信号を受信した場合に実行される。なお、以下の説明ではドアホン副親機３００における処理を説明するが、ドアホン副親機３１０その他のドアホン副親機における処理も同一である。
【００８２】
ステップＳ４０２にて、ドアホン副親機３００の制御部３１８は、無線受信部３１５を介して、ドアホン親機２００から呼出命令を受信する。
【００８３】
ステップＳ４０４にて、制御部３１８は、呼出命令の受信に応答して、ドアホン副親機３００自身を呼出状態に移行する。ここで、呼出状態とは、たとえば予め定められた音声信号がスピーカ部３２０に出力され、スピーカ部３２０が呼出音を発する状態をいう。あるいは、ＬＥＤ（Light Emitting Diode）その他の発光部（図示しない）を含む場合には、その発光部が光を発する状態をいう。
【００８４】
ステップＳ４０６にて、制御部３１８は、ドアホン親機２００から無線受信部３１５を介して、映像信号を受信する。ステップＳ４０８にて、制御部３１８は、ドアホン親機２００から無線受信部３１５を介して音声信号を受信する。
【００８５】
ステップＳ４１０にて、制御部３１８は、ドアホン副親機３００の表示部３２２に映像信号を出力する。この映像信号は、映像信号伸張部３１９において伸張処理された後の信号である。これにより、表示部３２２は、ドアホン子機１００のカメラ部１０１が撮影した来訪者の映像を表示する。
【００８６】
ステップＳ４１２にて、制御部３１８は、ドアホン副親機３００のスピーカ部３２０に音声信号を出力する。これにより、スピーカ部３２０は、来訪者がドアホン子機１００のマイク部１０３に発した音声を出力することができる。なお、この音声信号は、圧縮されていない信号であるが、ドアホン親機２００が音声信号圧縮部を含む場合には、ドアホン副親機３００にその圧縮信号を復元するための音声信号伸張部を備えて、伸張させてもよい。
【００８７】
ステップＳ４１４にて、制御部３１８は、呼出に対する応答を検知したか否かを判断する。この判断は、たとえば呼出応答スイッチ部３１７から予め定められた応答信号が入力されたか否かを検知することにより行なわれる。また、ドアホン親機２００または他のドアホン副親機のいずれかが応答した場合には、この検知は、ドアホン親機２００の無線送信部２１３を介して、制御信号を受信することにより行なわれる。呼出に対する応答を検知した場合には（ステップＳ４１４にてＹＥＳ）、処理は終了する。そうでない場合には（ステップＳ４１４にてＮＯ）、処理はステップＳ４０６に戻される。
【００８８】
以上のような構造およびフローチャートに基づく、本実施の形態に係る無線テレビドアホンシステムの動作について説明する。
【００８９】
来訪者が、ドアホン子機１００の呼出ボタン（たとえば呼出スイッチ部１０４）を押下すると、呼出命令がドアホン子機１００からドアホン親機２００に送信される（ステップＳ２０４）。ドアホン親機２００がその命令を受信すると（ステップＳ３０２）、ドアホン子機１００に起動命令を送信する（ステップＳ３０４）。ドアホン子機１００は、その命令に基づいて子機自身を起動状態に移行する（ステップＳ２０８）。一方、ドアホン親機２００は、各ドアホン副親機に呼出命令を送信するとともに（ステップＳ３０６）、親機自身を呼出状態に移行する（ステップＳ３０８）。その結果、ドアホン親機２００と各ドアホン副親機３００，３１０は、呼出音をそれぞれ発する。
【００９０】
来訪者がドアホン子機１００の前においてマイク部１０３に発話すると、映像信号および音声信号が親機２００にそれぞれ送信される（ステップＳ２１０、ステップＳ２１２）。ドアホン親機２００は、ドアホン子機１００から映像信号と音声信号とを受信すると（ステップＳ３１０、Ｓ３１２）、各ドアホン副親機３００，３１０にそれぞれの信号を送信する（ステップＳ３１４、Ｓ３１６）。
【００９１】
ドアホン副親機３００は、ドアホン親機２００から受信した映像信号と音声信号とに基づいて、来訪者の映像を表示部３２２に表示し、来訪者が発した音声をスピーカ部３２０に出力する。この処理は、ドアホン親機２００あるいはドアホン副親機３００，３１０のいずれかにおいて応答があるまで、あるいは予め定められた時間が経過するまで繰返される。これにより、住人は、ドアホン子機１００からの映像と音声とを、ドアホン親機２００あるいはドアホン副親機３００，３１０のいずれかにおいて確認することにより、来訪者を認識することができる。
【００９２】
次に、図５〜図８を参照して、ドアホン子機１００からの呼出に対して、１台のドアホン副親機３００が応答した場合における無線テレビドアホンシステムの動作について説明する。この場合、呼出に対する応答がドアホン副親機３００において行なわれると、ドアホン親機２００あるいはドアホン副親機３１０その他のドアホン副親機は、一時待機状態になる。
【００９３】
図５を参照して、本実施の形態に係るドアホン副親機３００の制御構造について、さらに説明する。図５は、ドアホン副親機３００の制御部３１８が実行する応答処理の手順を表わすフローチャートである。
【００９４】
ステップＳ５０２にて、制御部３１８は、呼出に対する応答を検知する。ステップＳ５０４にて、制御部３１８は、無線送信部３１６を介してドアホン親機２００に応答信号を送信する。この応答信号は、呼出の応答の検知に基づいて、たとえば制御部３１８により生成される。
【００９５】
ステップＳ５０６にて、制御部３１８は、無線受信部３１５を介してドアホン親機２００から通話許可信号を受信する。
【００９６】
ステップＳ５０８にて、制御部３１８は、通話許可信号の受信に応答して、ドアホン副親機３００自身を通話状態に移行する。ここで通話状態とは、音声がドアホン副親機３００のマイク部３２１に入力された場合に音声信号が生成されて、送信可能な状態になるとともに、無線受信部３１５を介して受信された音声信号は、スピーカ部３２０に出力可能な状態をいう。
【００９７】
ステップＳ５１０にて、制御部３１８は、無線受信部３１５を介してドアホン親機２００から映像信号を受信する。ステップＳ５１２にて、制御部３１８は、無線受信部３１５を介してドアホン親機２００から音声信号を受信する。
【００９８】
ステップＳ５１４にて、制御部３１８は、ドアホン副親機３００の表示部３２２に受信した映像信号を出力する。その結果、表示部３２２は、ドアホン子機１００のカメラ部１０１が撮影した映像を表示する。ステップＳ５１６にて、制御部３１８は、ドアホン副親機３００のスピーカ部３２０に受信した音声信号を出力する。その結果、来訪者が発した音声は、スピーカ部３２０を介して出力される。
【００９９】
ステップＳ５１８にて、制御部３１８は、無線送信部３１６を介して、応答者（たとえば住人）がマイク部３２１に発した音声を音声信号に変換してドアホン親機２００に送信する。
【０１００】
ステップＳ５２０にて、制御部３１８は、ドアホン子機１００との通話が終了したか否かを判断する。この判断は、たとえば呼び出し応答スイッチ部３１７から通話の終了を表わす信号が制御部３１８に入力されたか否か、あるいは、通話の終了を表わす信号が受信信号に含まれているか否かを検知することにより行なわれる。通話が終了したと判断すると（ステップＳ５２０にてＹＥＳ）、処理は終了する。そうでない場合には（ステップＳ５２０にてＮＯ）、処理はステップＳ５１０に戻される。
【０１０１】
図６を参照して、本実施の形態に係るドアホン親機２００の制御構造について、さらに説明する。図６は、ドアホン親機２００の制御部２１２が実行する処理の手順を表わすフローチャートである。
【０１０２】
ステップＳ６０２にて、制御部２１２は、ドアホン副親機３００から応答信号を受信する。ステップＳ６０４にて、制御部２１２は、無線送信部２１３を介してドアホン副親機３００に通話許可信号を送信する。
【０１０３】
ステップＳ６０６にて、制御部２１２は、無線送信部２１３を介して他のドアホン副親機（すなわち通話許可信号を送信していないドアホン副親機）に一時待機命令を送信する。この場合、たとえば通話許可信号を送信したドアホン副親機３００の識別番号が制御部２１２に予め記憶され、一時待機命令は、その番号以外の識別番号を有するドアホン副親機に送信される。
【０１０４】
ステップＳ６０８にて、制御部２１２は、ドアホン親機２００自身を一時待機状態に移行する。この場合、たとえばスピーカ部２０８は、ドアホン子機１００から受信した音声信号に基づく音声を出力しなくなる。その結果、来訪者とドアホン副親機３００で応答した住人の会話は他の住人に聞かれなくなるため、プライバシーの保護が図られる。
【０１０５】
ステップＳ６２０にて、制御部２１２は、無線受信部２１４を介してドアホン副親機３００から音声信号を受信する。ステップＳ６２２にて、制御部２１２は、ケーブル１９０を介してドアホン子機１００に音声信号を送信する。
【０１０６】
ステップＳ６２４にて、制御部２１２は、ドアホン子機１００とドアホン副親機３００との通話が終了したか否かを判断する。この判断は、たとえばドアホン子機１００とドアホン副親機３００の通話時間が予め定められた時間を経過したか、あるいは通話の終了信号が受信されたか否かを検出することにより行なわれる。通話の終了を検知した場合には（ステップＳ６２４にてＹＥＳ）、処理は終了する。そうでない場合には（ステップＳ６２４にてＮＯ）、処理はステップＳ３１０に戻される。
【０１０７】
図７を参照して、本実施の形態に係るドアホン副親機３１０の制御構造について説明する。図７は、ドアホン親機２００から一時待機命令を受信したドアホン副親機の制御部が実行する処理の手順を表わすフローチャートである。
【０１０８】
ステップＳ７０２にて、ドアホン副親機３１０の制御部３１８は、無線受信部３１５を介してドアホン親機２００から一時待機命令を受信する。ステップＳ７０４にて、制御部３１８は、一時待機命令の受信に応答して、ドアホン副親機３１０自身を一時待機状態に移行する。
【０１０９】
ステップＳ７０６にて、制御部３１８は、無線受信部３１５を介してドアホン親機２００から映像信号を受信する。ステップＳ７０８にて、制御部３１８は、ドアホン副親機３１０の表示部３２２に受信した映像信号を出力する。その結果、表示部３２２は、ドアホン子機１００のカメラ部１０１が撮影した映像を表示する。この場合、プライバシー保護のため、スピーカ部３２０は、ドアホン子機１００から受信した音声信号に基づく音声を出力しない。
【０１１０】
ステップＳ７１０にて、制御部３１８は、ドアホン子機１００とドアホン副親機３００との通話が終了したか否かを判断する。この判断は、ドアホン親機２００が送信する制御信号を受信することにより行なわれる。通話の終了を検知した場合には（ステップＳ７１０にてＹＥＳ）、処理は終了する。そうでない場合には（ステップＳ７１０にてＮＯ）、処理はステップＳ７０６に戻される。
【０１１１】
図８を参照して、本実施の形態に係るドアホン子機１００の制御構造について、さらに説明する。図８は、ドアホン子機１００の制御部１１０が実行する通話処理の手順を表わすフローチャートである。
【０１１２】
ステップＳ８２０にて、制御部１１０は、ドアホン親機２００からケーブル１９０を介して音声信号を受信する。
【０１１３】
ステップＳ８２２にて、制御部１１０は、スピーカ部１０２に受信した音声信号を出力する。その結果、ドアホン副親機３００に対する応答者が発した音声は、スピーカ部１０２を介して出力される。
【０１１４】
ステップＳ８２４にて、制御部１１０は、ドアホン親機２００との通話が終了したか否かを判断する。この判断は、ドアホン親機２００からの制御信号、たとえばケーブル１９０を介して供給される電圧の変化を検出することにより行なわれる。通話が終了したと判断すると（ステップＳ８２４にてＹＥＳ）、処理を終了する。そうでない場合には（ステップＳ８２４にてＮＯ）、処理はステップＳ２１０に戻される。
【０１１５】
以上のような構造およびフローチャートに基づく、本実施の形態に係る無線テレビドアホンシステムの動作について説明する。なお、前述の動作と同じ動作の説明は、ここでは繰返さない。
【０１１６】
住人がドアホン副親機３００に対して応答すると（ステップＳ５０２）、その応答に基づく信号がドアホン親機２００に送信される（ステップＳ５０４）。ドアホン親機２００がドアホン副親機３００からその応答信号を受信すると（ステップＳ６０２）、ドアホン副親機３００に通話許可信号を送信する（ステップＳ６０４）。その結果ドアホン副親機３００は、通話状態に移行することができ（ステップＳ５０８）、表示部３２２における映像の表示、スピーカ部３２０からの音声の出力、あるいは住人によるマイク部３２１への発話が可能な状態になる。
【０１１７】
一方、ドアホン親機２００は、その他のドアホン副親機３１０に対して一時待機命令を送信する（ステップＳ６０６）。ドアホン親機２００自身も一時待機状態に移行する（ステップＳ６０８）。その一時待機命令を受信したドアホン副親機３１０も同様に、一時待機状態に移行する（ステップＳ７０４）。その結果、ドアホン副親機３１０は、ドアホン親機２００から受信した映像信号を表示部３２２に表示し続ける（ステップＳ７０８）。
【０１１８】
このようにしてドアホン子機１００とドアホン副親機３００との通信回線が確立されると、来訪者が発した音声および来訪者の映像は、それぞれドアホン子機１００からドアホン親機２００を介してドアホン副親機３００に送信される（ステップＳ２１０、Ｓ２１２）。また、住人がドアホン副親機３００のマイク部３２１に発した音声は、ドアホン親機２００を介してドアホン子機１００に送信される（ステップＳ８２０）。
【０１１９】
また、この通話の間その他のドアホン副親機（たとえばドアホン副親機３１０）は、一時待機状態に移行しているため（ステップＳ７０４）、ドアホン親機から受信した映像信号に基づいて来訪者の映像を表示部３２２に表示するのみである。
【０１２０】
＜第１の実施の形態  変形例＞
以下、図９〜図１１を参照して、本発明の第１の実施の形態の変形例について説明する。本変形例に係る無線テレビドアホンシステムは、割り込み通話機能を有する点で、前述の実施の形態に係る無線テレビドアホンシステムと異なる。
【０１２１】
従来の無線テレビドアホンシステムでは、ドアホン子機と応答した第１のドアホン副親機との間で通話が開始されると、ドアホン親機および他のドアホン副親機は、第１のドアホン副親機が使用中であることしか表示しない。これに対して、本実施の形態に係る無線テレビドアホンシステムによると、たとえばドアホン副親機３００が通話中でも、ドアホン親機２００および他のドアホン副親機３１０は、ドアホン子機１００のカメラ部１０１で撮影された来訪者の映像を表示することができるため、住人は来訪者が誰かを識別することができる。
【０１２２】
その結果、住人がドアホン親機２００またはドアホン副親機３１０を使用して来訪者との通話を希望する場合、本発明の無線テレビドアホンシステムでは、ドアホン親機２００の呼出応答スイッチ部２１１、またはドアホン副親機３１０の呼出応答スイッチ部３１７を操作して、通話中のドアホン副親機３００の代わりに通話することができる。以下の説明では、このような通話を割り込み通話と称す。以下、本実施の形態に係る無線テレビドアホンシステムにおいて、割り込み通話が行なわれる場合について説明する。
【０１２３】
図９を参照して、本変形例に係るドアホン親機２００の制御構造について説明する。図９は、ドアホン子機１００と通話しているドアホン副親機３００以外のドアホン副親機３１０から、割り込み通話を検知した場合に実行する処理の手順を表わすフローチャートである。
【０１２４】
ステップＳ９０２にて、制御部２１２は、無線受信部２１４を介して、ドアホン副親機３１０から割り込み応答信号を受信する。ステップＳ９０４にて、制御部２１２は、その信号の受信に応答して、現在通話中のドアホン副親機３００に一時待機命令を送信する。ステップＳ９０６にて、制御部２１２は、割込み応答したドアホン副親機３１０に、割り込み通話許可信号を送信する。
【０１２５】
ステップＳ９２０にて、制御部２１２は、無線受信部２１４を介して、ドアホン副親機３１０から音声信号を受信する。ステップＳ９２２にて、制御部２１２は、受信した音声信号をドアホン子機１００に送信する。
【０１２６】
ステップＳ９２４にて、制御部２１２は、ドアホン副親機３１０とドアホン子機１００との通話が終了したか否かを判断する。この判断は、たとえばドアホン子機１００とドアホン副親機３１０との通話時間が予め定められた時間を経過したか、あるいは通話の終了信号を受信したか否かを検出することにより行なわれる。通話が終了したと判断すると（ステップＳ９２４にてＹＥＳ）、処理は終了する。そうでない場合には（ステップＳ９２４にてＮＯ）、処理はステップＳ３１０に戻される。
【０１２７】
図１０を参照して、本変形例に係る無線テレビドアホンシステムのドアホン副親機３００の制御構造について、さらに説明する。図１０は、他のドアホン副親機による割り込み通話が行なわれた場合に実行される一時待機処理の手順を表わすフローチャートである。なお、この処理は、通話中のドアホン副親機において実行され、特定のドアホン副親機に限定されるものではない。
【０１２８】
ステップＳ１００２にて、ドアホン親機３００の制御部３１８は、無線受信部３１５を介して、ドアホン親機２００から一時待機命令を受信する。ステップＳ１００４にて、制御部３１８は、その命令の受信に応答して、ドアホン副親機３００自身を一時待機状態に移行する。
【０１２９】
ステップＳ５１０にて、制御部３１８は、ドアホン親機２００から映像信号を受信する。ステップＳ５１４にて、制御部３１８は、表示部３２２に、受信した信号を出力する。その結果、表示部３２２は、ドアホン子機１００のカメラ部１０１が撮影した映像を表示する。この場合、プライバシー保護のため、スピーカ部３２０は、ドアホン子機１００から受信した音声信号に基づく音声を出力しない。
【０１３０】
ステップＳ１０２０にて、制御部３１８は、ドアホン子機１００とドアホン副親機３１０との通話が終了したか否かを判断する。この判断は、ドアホン親機２００が送信する制御信号を受信することにより行なわれる。通話の終了を検知した場合には（ステップＳ１０２０にてＹＥＳ）、処理は終了する。そうでない場合には（ステップＳ１０２０にてＮＯ）、処理はステップＳ５１０に戻される。
【０１３１】
図１１を参照して、本変形例に係る無線テレビドアホンシステムのドアホン副親機３１０の制御構造についてさらに説明する。図１１は、割り込み通話を行なうドアホン副親機３１０の制御部３１８が実行する処理の手順を表わすフローチャートである。
【０１３２】
ステップＳ１１０２にて、ドアホン副親機３１０の制御部３１８は、住人による割り込み応答を検知する。たとえば割り込み通話ボタンの押下その他の予め定められた操作が住人により行なわれた場合に、この応答は検知される。ステップＳ１１０４にて、制御部３１８は、その検知に基づいて、ドアホン親機２００に割り込み応答信号を送信する。
【０１３３】
ステップＳ１１０６にて、制御部３１８は、無線受信部３１５を介して、ドアホン親機２００から割り込み通話許可を受信する。ステップＳ１１０８にて、制御部３１８は、ドアホン副親機３１０自身を割り込み通話状態に移行する。これによりドアホン副親機３１０とドアホン子機１００との通信回線が確立され、住人は来訪者と割り込み通話をすることができる。
【０１３４】
以上のような構造およびフローチャートに基づく、本変形例に係る無線テレビドアホンシステムの動作について説明する。なお、前述の第１の実施の形態における動作と同じ動作の説明は、ここでは繰り返さない。
【０１３５】
住人がドアホン副親機３１０の割り込み通話ボタン（図示しない）を押下すると、割り込み応答が検知される（ステップＳ１１０２）。ドアホン副親機３１０は、割り込み応答信号をドアホン親機２００に送信する（ステップＳ１１０４）。ドアホン親機２００がその信号を受信すると（ステップＳ９０２）、ドアホン親機２００は現在通話中のドアホン副親機３００に一時待機命令を送信し（ステップＳ９０４）、割り込み応答したドアホン副親機３１０に割り込み許可信号を送信する（ステップＳ９０６）。
【０１３６】
ドアホン副親機３１０がドアホン親機２００から割り込み許可信号を受信すると（ステップＳ１１０６）、ドアホン副親機３１０自身が通話可能状態に移行する（ステップＳ１１０８）。これにより、ドアホン子機１００とドアホン副親機３１０との通話が確立されるため、住人がドアホン副親機３１０のマイク部３２１に発話すると、音声はドアホン子機１００に送信される。
【０１３７】
一方、ドアホン副親機３００がドアホン親機２００から一時待機命令を受信すると（ステップＳ１００２）、ドアホン副親機３００自身は、一時待機状態に移行する（ステップＳ１００４）。これにより、ドアホン子機１００から受信される音声信号はドアホン副親機３００のスピーカ部３２０から出力されなくなる。ドアホン副親機３００の表示部３２２は、ドアホン親機２００から受信した映像信号に基づいて映像を表示するのみである（ステップＳ５１４）。
【０１３８】
以上のようにして、本変形例に係る無線テレビドアホンシステムによると、住人は、通話中以外のドアホン親機２００あるいはドアホン副親機３１０のそれぞれの表示部２０７，３２２で、ドアホン子機１００のカメラ部１０１で撮影された来訪者の映像を確認することができる。これにより、住人は、来訪者を容易に識別することができる。また、住人が、通話中ではないドアホン親機２００またはドアホン副親機３１０を用いて、その来訪者との通話を希望する場合には、現在通話中のドアホン親機２００あるいはドアホン副親機３００において回線の切換操作をすることなく、来訪者と通話することができる。
【０１３９】
なお、本変形例では、住人が割り込み応答を行なった場合に、現在通話中のドアホン親機２００またはドアホン副親機３００の通話を強制的に終了して、割り込み応答を要求したドアホン親機２００またはドアホン副親機３１０とドアホン子機１００との間の１対１の通話に切り替わる場合について説明した。しかし、割り込み通話の態様は、これに限られない。たとえば、ドアホン子機１００と、現在通話中のドアホン親機２００またはドアホン副親機３００と、割り込み応答を要求したドアホン親機２００またはドアホン副親機３１０との間の３者により、通話が可能な態様であってもよい。
【０１４０】
＜第２の実施の形態＞
以下、本発明の第２の実施の形態について説明する。本実施の形態に係る無線テレビドアホンシステムは、ドアホン親機が、応答が検知されてから経過した時間に基づいて割り込み処理を禁止する機能を有する点で、前述の第１の実施の形態と異なる。
【０１４１】
来訪者がドアホン子機１００の呼出ボタンを押下して、来訪が通知された場合、ドアホン親機２００あるいはドアホン副親機３００，３１０での応答は、早い者勝ちとなる。すなわち、最初に応答した住人が、ドアホン子機１００と通話可能となる。そのため、来訪者の真の訪問対象の住人が応答する前に、別の住人が応答する場合がある。この場合、前記のような割り込み応答は、最初のドアホン応答が発生した直後に発生しやすく、時間が経過するにつれて、割り込み応答の必要性が大幅に低下する場合が多い。換言すると、一定時間、例えば１０秒間以内に割り込み応答が発生しない場合は、最初にドアホン応答した以外の住人には、来訪者に対して応答する必要がないとみなすことができる。一方、ドアホン副親機は、無線通信の利点を生かして、殆どの副親機が携帯可能なものである。このようなドアホン副親機の電源には、電池が使用されている。このため、割り込み応答の発生頻度が低下する一定時間が経過後は、画像を表示しないことにより、電池の消耗を防止することが望ましい。
【０１４２】
図１２を参照して、本実施の形態に係る無線テレビドアホンシステムについて説明する。図１２は、本実施の形態に係る無線テレビドアホンシステムの構成を表わすブロック図である。本実施の形態に係る無線テレビドアホンシステムは、計時機能を有するドアホン親機２０００を有する点で、前述の第１の実施の形態と異なる。
【０１４３】
ドアホン親機２０００は、図１に示したドアホン親機２００の構成に加えて、タイマ２９０を含む。タイマ２９０は、応答が検知されてから経過した時間を計測し、時間データを制御部２１２に出力する。なお、その他の構成は、第１の実施の形態と同じであるので、ここでは、それらについての説明は繰り返さない。
【０１４４】
図１３を参照して、本実施の形態に係るドアホン親機２０００の制御構造についてさらに説明する。図１３は、ドアホン親機２０００の制御部２１２が実行する処理の手順を表わすフローチャートである。
【０１４５】
ドアホン子機１００からの呼出に対して、１台のドアホン副親機３００が応答した場合、ドアホン親機２０００は、ドアホン副親機３００に通話を許可し、その他のドアホン副親機３１０を一時待機状態にする。そして、ドアホン親機２０００自身も一時待機状態に移行する。そして、ステップＳ１２１０にて、ドアホン親機２０００の制御部２１２は、、タイマ２９０の時間を初期化する。
【０１４６】
ステップＳ１２３０にて、制御部２１２は、タイマの時間が予め定められた規定時間を経過しているか否かを判断する。タイマの時間が規定時間を経過している場合には（ステップＳ１２３０にてＹＥＳ）、処理はステップＳ１３００に移される。そうでない場合には（ステップＳ１２３０にてＮＯ）、処理はステップＳ３１０に戻される。
【０１４７】
ステップＳ１３００にて、制御部２１２は、後述する割り込み禁止処理を実行する。この処理が実行されると、それまで割り込み通話が可能であったドアホン親機２０００およびドアホン副親機３１０によるドアホン子機１００との通話が禁止される。
【０１４８】
図１４を参照して、本実施の形態に係るドアホン親機２０００の制御構造についてさらに説明する。図１４は、ドアホン親機２０００の制御部２１２が実行する割り込み禁止処理の手順を表わすフローチャートである。
【０１４９】
ステップＳ１３０２にて、制御部２１２は、ドアホン親機２０００自身を割り込み禁止状態に移行する。ステップＳ１３０４にて、制御部２１２は、割り込み通話を禁止するドアホン副親機（すなわちドアホン副親機３１０）に割り込み禁止命令を送信する。この場合の送信先の特定は、たとえばタイマが規定時間を経過したときに通話を行なっていたドアホン副親機３００の識別情報と異なる識別情報を有するドアホン副親機を検索することにより行なわれる。
【０１５０】
ステップＳ１３１４にて、制御部２１２は、無線送信部２１３を介して、現在通話中のドアホン副親機３００に映像信号を送信する。ステップＳ１３１６にて、制御部２１２は、無線送信部２１３を介して、現在通話中のドアホン副親機３００に音声信号を送信する。
【０１５１】
ステップＳ１３１８にて、制御部２１２は、無線受信部２１４を介して、現在通話中のドアホン副親機３００から送信された音声信号を受信する。このとき、ドアホン親機２０００の制御部２１２は、映像信号を表示部２０７に出力しない。住人は、来訪者の画像がドアホン親機２０００で表示されていないことにより、割り込み通話ができないことを認識できる。また、住人がドアホン親機２０００の呼出応答スイッチ部２１１を押下しても、ドアホン親機２０００は割り込み通話に対応した処理を実行しない。
【０１５２】
ステップＳ１３３０にて、制御部２１２は、ドアホン子機１００とドアホン副親機３００との通話が終了したか否かを判断する。その通話が終了したと判断すると（ステップＳ１３３０にてＹＥＳ）、処理は終了し、メイン処理に戻される。そうでない場合には（ステップＳ１３３０にてＮＯ）、処理はステップＳ３１０に戻される。
【０１５３】
なお、ここでは、タイマの時間が規定時間を経過するまでに（図１３のステップＳ１２３０にてＹＥＳ）、割り込み応答が発生しない場合を説明している。この場合、ドアホン子機１００とドアホン副親機３００の通話は、終話まで継続される。この場合のドアホン副親機３００が実行する処理の手順は、たとえば図５に示される処理の手順と同じである。したがって、それらについての説明は、ここでは繰り返さない。
【０１５４】
図１５を参照して、本実施の形態に係るドアホン副親機３１０の制御構造についてさらに説明する。図１５は、ドアホン副親機３１０の制御部３１８が実行する処理の手順を表わすフローチャートである。
【０１５５】
ステップＳ１５０２にて、制御部３１８は、無線受信部３１５を介してドアホン親機２０００から割り込み禁止命令を受信する。
【０１５６】
ステップＳ１５０４にて、制御部３１８は、ドアホン副親機３１０自身を割り込み禁止状態に移行する。これにより、ドアホン副親機３１０の表示部３２２には、映像信号が出力されなくなり、住人はドアホン副親機３１０で割り込み通話ができないことを認識できる。また、住人が呼出応答スイッチ部３１７に対して所定の動作（たとえばボタン押下）を行なった場合でも、ドアホン副親機３１０はドアホン親機２０００に割り込み応答信号を送信しない。この割り込み禁止状態は、ドアホン子機１００とドアホン副親機３００との通話が終了するまで（ステップＳ１５０６にてＹＥＳ）、継続される。
【０１５７】
以上のような構造およびフローチャートに基づく、本実施の形態に係る無線テレビドアホンシステムの動作について説明する。なお、前述の第１の実施の形態における動作と同じ動作の説明は、ここでは繰り返さない。
【０１５８】
ドアホン親機２０００がドアホン副親機３００から応答信号を受信して（ステップＳ６０２）ドアホン親機自身が一時待機状態に移行すると（ステップＳ６０８）、タイマ２９０が初期化されて（ステップＳ１２１０）、計時が開始される。タイマ２９０の時間が規定時間を経過すると（ステップＳ１２３０にてＹＥＳ）、ドアホン親機２０００自身が割り込み禁止状態に移行し（ステップＳ１３０２）、さらに通話していないドアホン副親機３１０に割り込み禁止命令を送信する（ステップＳ１３０４）。
【０１５９】
割り込み通話の禁止処理が実行されている間、ドアホン親機２０００は、ドアホン子機１００から受信した映像信号および音声信号をドアホン副親機３００に送信する（ステップＳ１３１４，Ｓ１３１６）。また、ドアホン親機２０００は、ドアホン副親機３００から受信した音声信号をドアホン子機１００に送信する（ステップＳ１３１８，Ｓ６２２）。ドアホン親機２０００は、ドアホン子機１００とドアホン副親機３００との通話の終了を検知すると（ステップＳ１３３０にてＹＥＳ）、割り込み禁止処理を終了する。
【０１６０】
一方、ドアホン親機２０００のタイマ２９０の時間が規定時間を経過すると、割り込み通話が禁止されるので、住人が応答したドアホン副親機３００では、ドアホン子機１００との通話が継続される。
【０１６１】
また、ドアホン副親機３００とドアホン子機１００との通話が開始されて、規定時間が経過すると、ドアホン副親機３１０は、ドアホン親機２０００から、割り込み禁止命令を受信する（ステップＳ１５０２）。その後、ドアホン副親機３１０は、ドアホン副親機３１０自身を割り込み禁止状態に移行するため（ステップＳ１５０４）、他の住人がドアホン副親機３１０を使用して応答しても、ドアホン親機２０００に信号が送信されない。
【０１６２】
以上のようにして、本実施の形態に係る無線テレビドアホンシステムによると、ドアホン子機１００の呼出に応答したドアホン副親機以外における応答は、規定時間経過した後できなくなるため、不要な割り込み通話の発生が防止される。また、応答の必要のないドアホン副親機は表示部３２２の電源（図示しない）をＯＦＦにすることができるため、電池の消耗を抑制することができる。
【０１６３】
＜第３の実施の形態＞
以下、本発明の第３の実施の形態について説明する。なお、本実施の形態に係る無線テレビドアホンシステムのハードウェア構成は、前述の第２の実施の形態と同じである。したがって、それらについての説明は、ここでは繰り返さない。
【０１６４】
上記したように、通話中以外のドアホン親機２０００およびドアホン副親機３００，３１０は、ドアホン子機１００の映像信号を確認したり割り込み通話できる機能（以下、割り込み機能と称す。）を有する場合、ドアホン子機１００からの呼出に応答した住人は、あえて回線を切り替えることなく、来訪者の真の訪問対象の住人が来訪者を確認して通話を行うことができる。しかし、ドアホン副親機を家族の誰が使用するかによって、個々のドアホン副親機３００，３１０に、上記割り込み機能の有効・無効を選択的に設定したい場合がある。
【０１６５】
このため、個々のドアホン副親機毎に、割り込み機能を有効にするか、あるいは無効にするかを設定できるようにすることにより、住人に応じた使用の態様を提供することができる。
【０１６６】
割り込み機能は、たとえば無線テレビドアホンシステムが未使用である待機状態のときに、設定可能である。すなわち、住人はドアホン副親機３００，３１０の呼出応答スイッチ部３１７に設けた設定スイッチを操作して、そのドアホン副親機における割り込み機能を有効にするか、あるいは無効にするかを設定する。この設定は、制御部３１８に内蔵されたメモリ（図示しない）に記録される。
【０１６７】
図１６を参照して、本実施の形態に係るドアホン親機２０００の制御構造について説明する。図１６は、ドアホン親機２０００の制御部２１２が実行する状態確認処理の手順を表わすフローチャートである。
【０１６８】
ステップＳ１６１２にて、制御部２１２は、無線送信部２１３を介して各ドアホン副親機３００，３１０に状態確認命令を送信する。
【０１６９】
ステップＳ１６１４にて、制御部２１２は、無線受信部２１４を介して各ドアホン副親機３００，３１０からそれぞれ状態返信信号を受信する。制御部２１２は、その信号に含まれる情報を読み出して、内蔵メモリ（図示しない）の予め定められた領域に、その情報を格納する。
【０１７０】
ステップＳ１６１６にて、制御部２１２は、ドアホン子機１００、ドアホン親機２０００自身、および各ドアホン副親機３００，３１０のいずれかにおいて呼出を検知したか否かを判断する。いずれかから呼出を検知した場合には（ステップＳ１６１６にてＹＥＳ）、処理は終了する。そうでない場合には（ステップＳ１６１６にてＮＯ）、処理はステップＳ１６１８に移される。
【０１７１】
ステップＳ１６１８にて、制御部２１２は、タイマ２９０の計測時間に基づいて予め定められた時間が経過したか否かを判断する。予め定められた時間が経過した場合には（ステップＳ１６１８にてＹＥＳ）、処理はステップＳ１２１０に戻される。そうでない場合には（ステップＳ１６１８にてＮＯ）、処理はステップＳ１６１６に戻される。
【０１７２】
図１７を参照して、本実施の形態に係るドアホン副親機３００，３１０の制御構造について説明する。図１７は、各ドアホン副親機の制御部３１８が実行する状態確認処理の手順を表わすフローチャートである。
【０１７３】
ステップＳ１７０２にて、制御部３１８は、無線受信部３１５を介してドアホン親機２０００から状態確認命令を受信する。ステップＳ１７０４にて、制御部３１８は、状態確認命令の受信に応答して、ドアホン副親機自身の情報に基づいて状態返信信号を生成する。この状態返信信号は、たとえば、呼出信号の有無、電波強度、電池（図示しない）の残存容量、割り込み機能の有効あるいは無効の設定情報を含む。ステップＳ１７０６にて、制御部３１８は、無線送信部３１６を介してドアホン親機２０００に状態返信信号を送信する。
【０１７４】
以上のような構造およびフローチャートに基づく、本実施の形態に係る無線テレビデオホンシステムの動作について説明する。
【０１７５】
ドアホン親機２０００は、予め定められた構造を有する状態確認命令を生成し、その命令を各ドアホン副親機３００，３１０に送信する（ステップＳ１６１２）。ドアホン副親機３００，３１０がその命令を受信すると（ステップＳ１７０２）、各ドアホン副親機３００，３１０は割り込み機能の設定情報その他の情報を含む状態返信信号を生成し（ステップＳ１７０４）、ドアホン親機２０００にその信号を送信する（ステップＳ１７０６）。
【０１７６】
ドアホン親機２０００が状態返信信号を受信すると（ステップＳ１６１４）、その信号に含まれる各ドアホン副親機３００，３１０における割り込み機能の設定情報が読み出されて、制御部２１２の内蔵メモリに格納される。ドアホン親機２０００が呼出を検知しない場合には（ステップＳ１６１６にてＮＯ）、予め定められた時間が経過すると（ステップＳ１６１８にてＹＥＳ）、ドアホン親機２０００は、状態確認信号を再び送信する。
【０１７７】
以上のようにして、本実施の形態に係る無線テレビドアホンシステムによると、定期的に割り込み機能の設定情報が確認されて、その情報は、ドアホン親機２０００に格納される。したがって、住人が割り込み機能の設定を変更した場合であっても、その変更は逐次反映される。これにより、不要な割り込みの発生を容易に防止することができる。
【０１７８】
次に、図１８を参照して、本実施の形態に係るドアホン親機２０００の制御構造についてさらに説明する。図１８は、ドアホン親機２０００の制御部２１２が実行する処理の手順を表わすフローチャートである。この処理は、ドアホン子機１００による呼び出しに対して、いずれかのドアホン副親機において応答された場合に、実行される。
【０１７９】
ステップＳ１８０６にて、制御部２１２は、無線送信部２１３を介して、割り込み機能が有効なドアホン副親機に一時待機命令を送信する。この命令が送信されるドアホン副親機は、たとえば制御部２１２の内蔵メモリ（図示しない）に記憶されているデータに基づいて識別される。
【０１８０】
ステップＳ１８０８にて、制御部２１２は、無線送信部２１３を介して、割り込み機能が無効なドアホン副親機に割り込み禁止命令を送信する。この命令が送信されるドアホン副親機は、同様に、たとえば制御部２１２の内蔵メモリ（図示しない）に記憶されているデータに基づいて識別される。
【０１８１】
なお、ドアホン親機２０００から一時待機命令を受信したドアホン副親機が実行する処理の手順は、たとえば図７に示される処理の手順と同じである。また、ドアホン親機２０００から割り込み禁止命令を受信したドアホン副親機が実行する処理の手順は、たとえば図１５に示される処理の手順と同じである。したがって、ここでは、それらについての説明は、繰り返さない。
【０１８２】
以上のような構成を有する無線テレビドアホンシステムによると、ドアホン親機２０００は、割り込み機能の設定が無効であるドアホン副親機による割り込み機能を禁止する。その結果、そのドアホン副親機ではドアホン子機１００からの映像信号が表示されない。これにより、そのドアホン副親機による割り込み機能を確実に防止することができる。
【０１８３】
次に、図１９を参照して、本実施の形態に係るドアホン親機２０００の制御構造についてさらに説明する。図１９は、ドアホン親機２０００の制御部２１２が実行する処理の手順を表わすフローチャートである。この処理は、ドアホン子機１００と通話中のドアホン副親機と異なるドアホン副親機が割り込み応答した場合に、実行される。
【０１８４】
ステップＳ１９０４にて、制御部２１２は、現在通話中のドアホン副親機の割り込み機能が有効であるか否かを、たとえば内蔵メモリ（図示しない）に記憶されているデータに基づいて識別する。割り込み機能が無効の場合（ステップＳ１９０４にてＮＯ）、ステップＳ１９０６にて、制御部２１２は、無線送信部２１３を介して、現在通話中のドアホン副親機に割り込み禁止命令を送信する。また、割り込み機能が有効の場合（ステップＳ１９０４にてＹＥＳ）、ステップＳ１９０８にて、制御部２１２は、無線送信部２１３を介して、現在通話中のドアホン副親機に一時待機命令を送信する。
【０１８５】
以上のような構成を有する無線テレビドアホンシステムによると、割り込み通話許可命令を受信したドアホン副親機は、ドアホン子機１００と通話を行い、割り込み機能が有効に設定されているドアホン親機２０００およびドアホン副親機は、ドアホン子機１００の映像信号だけを表示する。しかし、割り込み機能が無効に設定されているドアホン副親機では、映像信号も表示されない。また、呼出応答スイッチ部３１７への入力が無効になるため、他の住人は、割り込み機能が無効に設定されているドアホン副親機では、割り込み応答もできない。
【０１８６】
このようにして、割り込み機能は、各ドアホン副親機３００，３１０のぞれぞれについて、有効・無効が設定できる。したがって、たとえば、小さい子供が使うドアホン副親機では、上記機能を使用できないように設定することにより、誤操作を防止する等、使用状況に応じた柔軟な設定が可能になる。
【０１８７】
なお、上記の実施の形態では、ドアホン親機２０００は家族全員が使用するので、割り込み機能を常に有効にしたが、設定の態様はこれに限られない。たとえば、ドアホン親機２０００の割り込み機能を有効にするか、無効にするかを設定できるようにしてもよい。
【０１８８】
また、個々のドアホン副親機３００，３１０の割り込み機能の設定を、ドアホン親機２０００で集中して行うようにしてもよい。このようにすると、個々のドアホン副親機３００，３１０の呼出応答スイッチ部３１７に設ける設定スイッチや、その設定のためのメモリが不要になるため、部品点数を削減することができる。
【０１８９】
さらに、上記の実施の形態では、ドアホン親機２０００がドアホン副親機３００，３１０の状態確認を行うとき、個々のドアホン副親機３００，３１０の割り込み機能の設定が確認されたが、確認の態様はこれに限られない。たとえば、ドアホン子機１００、ドアホン親機２０００、あるいはドアホン副親機３００，３１０から呼び出されたときに、各ドアホン副親機３００，３１０の割り込み機能の設定を調べるようにしてもよい。
【０１９０】
＜第３の実施の形態  変形例＞
以下、本実施の形態の変形例について説明する。
【０１９１】
上記で説明した割り込み通話の場合、割り込み応答したドアホン親機２０００またはドアホン副親機がドアホン子機１００と通話中でも、割り込み機能が有効に設定されている他のドアホン親機２０００またはドアホン副親機で、さらに割り込み応答が可能である。しかし、実際には、割り込み応答した住人は来訪者の真の訪問対象の住人である可能性が高いため、再度の割り込み応答が必要なことはまれである。このため、割り込み応答が一度発生した場合、他のドアホン親機２０００およびドアホン副親機で割り込み機能を禁止することにより、来訪者との通話は他のドアホン親機２０００またはドアホン副親機に妨げられないようにすることができる。この場合、通話中以外のドアホン親機２０００およびドアホン副親機は画像を表示しないので、不要な電力消費を防ぐことができる。
【０１９２】
そこで、割り込み応答後に、別のドアホン親機２０００またはドアホン副親機からの再度の割り込み応答を禁止する割り込み応答（以下、排他割り込み応答と称す）について説明する。
【０１９３】
この排他割り込み応答を行うために、ドアホン親機２０００およびドアホン副親機３００，３１０のそれぞれの呼出応答スイッチ部２１１および３１７に、専用の排他割り込み応答用のスイッチを設けてもよい。また、呼出応答スイッチの押し方を、例えば、一定時間（例えば１秒）以上押し続けた場合、一定回数（例えば１秒間に２回）以上押した場合、あるいは、呼出応答スイッチの押されている時間と回数の組み合わせが規定値と一致した場合のように、排他割り込み応答を行うようにしてもよい。
【０１９４】
さらに、前記したような割り込み機能の有効・無効の状態設定と同様に、割り込み応答は排他割り込み応答か否かを予め選択しておき、排他割り込み応答に設定されている場合は、呼出応答スイッチを操作すると排他割り込み応答を行うようにしてもよい。また、割り込み応答時は、すべて排他割り込み応答を行なうようにしてもよい。
【０１９５】
以下、図２０および図２１を参照して、本変形例に係る無線テレビドアホンシステムについて説明する。なお、本変形例に係る無線テレビドアホンシステムのハードウェア構成は、前述の各実施の形態と同じである。したがって、それについての説明は、ここでは繰り返さない。
【０１９６】
以下、図２０を参照して、本実施の形態に係るドアホン親機２０００の制御構造についてさらに説明する。図２０は、ドアホン親機２０００の制御部２１２が実行する処理の手順を表わすフローチャートである。
【０１９７】
ステップＳ２００２にて、制御部２１２は、無線受信部２１４を介していずれかのドアホン副親機から排他割り込み応答信号を受信する。ステップＳ２００４にて、制御部２１２は、その信号の受信に応答して、そのドアホン副親機に排他割り込み通話許可信号を送信する。
【０１９８】
ステップＳ２００８にて、制御部２１２は、ドアホン親機２０００自身を割り込み禁止状態に移行する。この移行により、住人はドアホン親機２０００を介した割り込み応答ができなくなる。
【０１９９】
ステップＳ２０１４にて、制御部２１２は、排他割り込みを許可したドアホン副親機に、映像信号を送信する。ステップＳ２０１６にて、制御部２１２は、排他割り込みを許可したドアホン副親機に、音声信号を送信する。ステップＳ２０１８にて、制御部２１２は、排他割り込みを許可したドアホン副親機から音声信号を受信する。
【０２００】
図２１を参照して、本実施の形態に係るドアホン副親機の制御構造について説明する。図２１は、ドアホン副親機の制御部３１８が実行する処理の手順を表わすフローチャートである。この処理は、ドアホン子機１００と他のドアホン副親機とが通話中である場合に、排他割り込み応答が入力された時に実行される。
【０２０１】
ステップＳ２１０２にて、制御部３１８は、呼出応答スイッチ部３１７を介して、住人による排他割り込み応答を検知する。ステップＳ２１０４にて、制御部３１８は、その検知に基づいて、無線送信部３１６を介してドアホン親機２０００に排他割り込み応答信号を送信する。
【０２０２】
ステップＳ２１０６にて、制御部３１８は、無線受信部３１５を介してドアホン親機２０００から排他割り込み通話許可を受信する。ステップＳ２１０８にて、制御部３１８は、その許可の受信に応答して、ドアホン副親機自身を排他通話状態に移行する。
【０２０３】
以上のような構造およびフローチャートに基づく、本変形例に係る無線テレビドアホンシステムの動作について説明する。なお、前述の各実施の形態における動作と同じ動作の説明は、ここでは繰り返さない。
【０２０４】
ドアホン副親機３００とドアホン子機１００とが通話中である場合に、住人がドアホン副親機３１０の呼出応答スイッチ部３１７に対して、排他割り込みのための操作を実行すると、排他割り込み応答が検知され（ステップＳ２１０２）、排他割り込み応答信号がドアホン親機２０００に送信される（ステップＳ２１０４）。
【０２０５】
ドアホン親機２０００がその信号を受信すると（ステップＳ２００２）、ドアホン親機２０００は、ドアホン副親機３１０に排他割り込み通話許可信号を送信し（ステップＳ２００４）、さらに、排他割り込み通話を許可したドアホン副親機３１０以外の全てのドアホン副親機３００に、割り込み禁止命令を送信する（ステップＳ１９０６）。そして、ドアホン親機２０００自身を割り込み禁止状態に移行する（ステップＳ２００８）。これにより、ドアホン親機２０００を介した割り込み応答ができなくなる。
【０２０６】
一方、ドアホン副親機３１０はその許可信号を受信すると（ステップＳ２１０６）、ドアホン副親機３１０自身を排他通話状態に移行する（ステップＳ２１０８）。ドアホン親機２０００はドアホン子機１００から受信した映像信号および音声信号をドアホン副親機３１０に送信する（ステップＳ２０１４，Ｓ２０１６）。また、ドアホン親機２０００はドアホン副親機３１０から音声信号を受信して（ステップＳ２０１８）、ドアホン子機１００に送信する（ステップＳ９２２）。これにより、ドアホン子機１００とドアホン副親機３１０との通話が可能になり、ドアホン子機１００あるいはドアホン副親機３１０のいずれかにおいて終了されるまで、その通話は継続される。
【０２０７】
以上のようにして、本変形例に係る無線テレビドアホンシステムによると、ドアホン子機１００とドアホン副親機３１０との間の通話は、他のドアホン親機２０００およびドアホン副親機３００から割り込まれなくなる。また、ドアホン子機１００からの映像も通話中以外のドアホン親機２０００あるいはドアホン副親機３００で表示されなくなる。これにより、来訪者は真の訪問対象の住人との通話を妨げられることがなく、また、通話中以外のドアホン親機２０００およびドアホン副親機３００における不要な電力消費を防ぐことができる。
【０２０８】
なお、本発明は、無線テレビドアホンシステムに限られず、子機と、相互に無線回線により接続される複数の親機とを含む無線通信システムにも適用しても良い。
【０２０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０２１０】
本発明は、無線テレビドアホンシステム、特に、特に、ドアホン子機と、ドアホン親機と、複数のドアホン副親機とを含むシステムに適用可能である。
【図面の簡単な説明】
【０２１１】
【図１】本発明の第１の実施の形態に係る無線テレビドアホンシステムの構成を表わすブロック図である。
【図２】本発明の第１の実施の形態に係る無線テレビドアホンシステムのドアホン子機が実行する処理の手順を表わすフローチャート（その１）である。
【図３】本発明の第１の実施の形態に係る無線テレビドアホンシステムのドアホン親機が実行する処理の手順を表わすフローチャート（その１）である。
【図４】本発明の第１の実施の形態に係る無線テレビドアホンシステムのドアホン副親機が実行する処理の手順を表わすフローチャート（その１）である。
【図５】本発明の第１の実施の形態に係る無線テレビドアホンシステムのドアホン副親機が実行する処理の手順を表わすフローチャート（その２）である。
【図６】本発明の第１の実施の形態に係る無線テレビドアホンシステムのドアホン親機が実行する処理の手順を表わすフローチャート（その２）である。
【図７】本発明の第１の実施の形態に係る無線テレビドアホンシステムのドアホン副親機が実行する処理の手順を表わすフローチャート（その３）である。
【図８】本発明の第１の実施の形態に係る無線テレビドアホンシステムのドアホン子機が実行する処理の手順を表わすフローチャート（その２）である。
【図９】本発明の第１の実施の形態の変形例に係る無線テレビドアホンシステムのドアホン親機が実行する処理の手順を表わすフローチャート（その１）である。
【図１０】本発明の第１の実施の形態の変形例に係る無線テレビドアホンシステムのドアホン副親機が実行する処理の手順を表わすフローチャート（その２）である。
【図１１】本発明の第１の実施の形態の変形例に係る無線テレビドアホンシステムのドアホン副親機が実行する処理の手順を表わすフローチャート（その３）である。
【図１２】本発明の第２の実施の形態に係る無線テレビドアホンシステムの構成を表わすブロック図である。
【図１３】本発明の第２の実施の形態に係る無線テレビドアホンシステムのドアホン親機が実行する処理の手順を表わすフローチャート（その１）である。
【図１４】本発明の第２の実施の形態に係る無線テレビドアホンシステムのドアホン親機が実行する処理の手順を表わすフローチャート（その２）である。
【図１５】本発明の第２の実施の形態に係る無線テレビドアホンシステムのドアホン副親機が実行する処理の手順を表わすフローチャートである。
【図１６】本発明の第３の実施の形態に係る無線テレビドアホンシステムのドアホン親機が実行する処理の手順を表わすフローチャート（その１）である。
【図１７】本発明の第３の実施の形態に係る無線テレビドアホンシステムのドアホン副親機が実行する処理の手順を表わすフローチャート（その１）である。
【図１８】本発明の第３の実施の形態に係る無線テレビドアホンシステムのドアホン親機が実行する処理の手順を表わすフローチャート（その２）である。
【図１９】本発明の第３の実施の形態に係る無線テレビドアホンシステムのドアホン親機が実行する処理の手順を表わすフローチャート（その３）である。
【図２０】本発明の第３の実施の形態に係る無線テレビドアホンシステムのドアホン親機が実行する処理の手順を表わすフローチャート（その４）である。
【図２１】本発明の第３の実施の形態に係る無線テレビドアホンシステムのドアホン副親機が実行する処理の手順を表わすフローチャート（その２）である。
【符号の説明】
【０２１２】
１００  ドアホン子機、１０１  カメラ部、１０２，２０８，３２０  スピーカ部、１０３，２０９，３２１  マイク部、１０４  呼出スイッチ部、１０５，２０６  多重化分離化回路部、１１０，２１２，３１８  制御部、１９０  ケーブル、２００，２０００  ドアホン親機、２０７，３２２  表示部、２１０  映像信号圧縮部、２１１，３１７  呼出応答スイッチ部、２１３，３１６  無線送信部、２１４，３１５  無線受信部、３００，３１０  ドアホン副親機、３１９  映像信号伸張部。
【図１】
2005236384.tif 000003
【図２】
2005236384.tif 000004
【図３】
2005236384.tif 000005
【図４】
2005236384.tif 000006
【図５】
2005236384.tif 000007
【図６】
2005236384.tif 000008
【図７】
2005236384.tif 000009
【図８】
2005236384.tif 000010
【図９】
2005236384.tif 000011
【図１０】
2005236384.tif 000012
【図１１】
2005236384.tif 000013
【図１２】
2005236384.tif 000014
【図１３】
2005236384.tif 000015
【図１４】
2005236384.tif 000016
【図１５】
2005236384.tif 000017
【図１６】
2005236384.tif 000018
【図１７】
2005236384.tif 000019
【図１８】
2005236384.tif 000020
【図１９】
2005236384.tif 000021
【図２０】
2005236384.tif 000022
【図２１】
2005236384.tif 000023